(57)【要約】【課題】浴槽の残り湯の有効利用と、被洗浄物の洗浄を非常に良好に行える風呂システムを提供する。【解決手段】浴槽１に接続された循環路２に、浴槽水を循環させるポンプ４と水を貯留するタンクを備えた加圧容器５と浴槽１内の水の水位を検出する浴槽水位検出手段３を設け、切り替え弁６を介して中水通路１９を接続する。加圧容器５への空気導入手段１６を設けて導入された空気を加圧容器５に導入される水に加圧溶融して空気加圧溶融水として導出する。中水利用指令が加えられたとき又は中水導出口の開動作が行われたときに、浴槽水位検出手段３により検出される検出水位が予め定められる中水利用設定水位以上あったときには、ポンプ４の駆動により空気加圧溶融水を切り替え弁６を介して中水通路１９に導入し、中水白濁用微細気泡噴出装置５０から微細気泡を噴出させて微細気泡の含有水を中水導出口１８から導出する。【選択図】図１
2013121392.tif 000002
【特許請求の範囲】
【請求項１】
浴槽に接続される循環路に浴槽水を循環させる機能を備えたポンプが設けられ、該ポンプの吐出側の循環路には水を貯留するタンクを備えた加圧容器の水導入部が接続され、該加圧容器の水導出部側の循環路には切り替え弁を介して水を中水導出口に導く中水通路が接続されており、前記浴槽内の水の水位を検出する浴槽水位検出手段と、前記加圧容器の水導入部から導入される水に溶融させるための空気を導入する空気導入手段とを有して、該空気導入手段により導入された空気が前記ポンプによって前記加圧容器に導入される水に加圧溶融されて空気加圧溶融水として導出される構成を有し、該加圧溶融水が前記切り替え弁を介して前記中水通路に導入されたときに該空気加圧溶融水を減圧して噴出させることにより前記中水通路内の水に微細気泡を噴出させる中水白濁用微細気泡噴出装置が前記中水通路に介設され、前記浴槽への前記循環路の接続部には前記空気加圧溶融水を減圧して噴出させることにより前記浴槽内の水に微細気泡を噴出させる浴槽白濁用微細気泡噴出装置が設けられており、中水利用指令が加えられたとき又は前記中水導出口の開動作が行われたときに前記浴槽水位検出手段により検出される検出水位が予め定められる中水利用設定水位以上あったときには前記ポンプの駆動により前記加圧容器から導出される空気加圧溶融水を前記切り替え弁を介して前記中水通路に導入し、前記中水白濁用微細気泡噴出装置から微細気泡を噴出させて該微細気泡の含有水を前記中水導出口から導出し、中水利用停止指令が加えられたとき又は前記中水導出口の閉動作が行われたときには前記微細気泡の含有水の前記中水導出口からの導出を停止する微細気泡含有中水導出制御手段が設けられていることを特徴とする風呂システム。
【請求項２】
加圧容器内の圧力を検出する圧力検出手段を有し、微細気泡含有中水導出制御手段は、前記圧力検出手段により検出される加圧容器内の圧力が予め定めたポンプオン設定圧力以下になったときにポンプの駆動を開始し、中水利用停止指令が加えられたときと中水導出口の閉動作が行われたときと前記加圧容器内の圧力が前記ポンプオン設定圧力よりも高い予め定めたポンプオフ設定圧力以上になったときのいずれかの予め定められた設定タイミングにポンプの駆動を停止することを特徴とする請求項１記載の風呂システム。
【請求項３】
中水通路には中水を貯留する水貯留タンクが介設されており、微細気泡含有中水導出制御手段は前記水貯留タンク内の圧力が予め定めたポンプオン設定圧力以下になったときにポンプの駆動を開始し、前記水貯留タンク内の圧力が前記ポンプオン設定圧力よりも高い予め定めたポンプオフ設定圧力以上になったときにポンプの駆動を停止することを特徴とする請求項１記載の風呂システム。
【請求項４】
中水通路には中水を貯留する水貯留タンクが介設されており、前記水貯留タンクには該水貯留タンク内が予め定めたオン駆動圧以下になるとオンして該オン駆動圧よりも高い予め定めたオフ駆動圧以上になるとオフする圧力スイッチが設けられており、微細気泡含有中水導出制御手段は前記圧力スイッチのオン信号が加えられたときにポンプの駆動を開始し、前記圧力スイッチのオフ信号が加えられたときにポンプの駆動を停止することを特徴とする請求項１記載の風呂システム。
【請求項５】
ポンプの駆動開始から予め定められた弁開設定待機時間が経過するまでは空気導入手段を閉状態とし、前記弁開設定待機設定時間が経過した以降に前記空気導入手段を開状態として空気を浴槽水に溶融させる空気導入弁開閉制御手段が設けられていることを特徴とする請求項３または請求項４記載の風呂システム。
【請求項６】
水貯留タンクの圧力スイッチが予め定められた設定判断時間以内に予め定めた設定回数以上のオンオフ動作を繰り返し行ったときには、その直後に空気導入手段を開いて空気を浴槽水に溶融させることを特徴とする請求項４記載の風呂システム。
【請求項７】
浴槽水の温度を検出する風呂温度検出手段を有し、該風呂温度検出手段の検出温度が予め定めた設定温度以上の時には、ポンプの駆動直後に空気導入手段を開いて空気を浴槽水に溶融させることを特徴とする請求項１乃至請求項６のいずれか一つに記載の風呂システム。
【請求項８】
循環路には循環水を加熱する熱交換器が介設され、前記循環路がポンプの駆動により該循環路を循環する浴槽水を加熱して循環する追い焚き循環路を成していることを特徴とする請求項１乃至請求項７のいずれか一つに記載の風呂システム。
【請求項９】
オゾンを収容するオゾン収容部が空気導入手段に接続されており、該空気導入手段からオゾンを導入するオゾン導入手段が設けられていることを特徴とする請求項１乃至請求項８のいずれか一つに記載の風呂システム。
【発明の詳細な説明】
【技術分野】
【０００１】
本発明は、浴槽水に微細気泡（白濁式）を含有させる機能を備えた風呂システムに関するものである。
【背景技術】
【０００２】
例えばスニーカ等の靴洗浄は、一般に、水道水（上水）と洗剤を用いられており、トイレの使用後に流す水にも水道水が用いられている。また、前記のような靴洗浄に用いる水やトイレ使用後に流す水として、風呂の残り湯（水）を用いることも提案されている（例えば特許文献１、参照。）。なお、本願の明細書等において、風呂の残り湯等を下水として直接排出せずに靴洗浄や洗濯等に利用（再利用）する場合に、以下、この水を中水という。
【先行技術文献】
【特許文献】
【０００３】
【特許文献１】特開２００１−３２１２８６号公報
【発明の概要】
【発明が解決しようとする課題】
【０００４】
ところで、近年、浴槽水内に気泡を発生させる気泡発生機能を備えた風呂装置が用いられるようになった。微細気泡（白濁式）を浴槽内に発生させると、入浴した人の保温性を高めるだけでなく、汚れを落としやすくできる効果があることが知られており、本願発明者は、このような汚れ落とし効果を前記洗浄などに有効利用できないものかと考えた。
【０００５】
本発明は、本発明者の前記考えに基づいてなされたものであり、その目的は、微細気泡発生機能を備えた風呂装置に接続された浴槽の残り湯の再利用によって被洗浄物の洗浄を行うときに、汚れを落とし易くできる風呂システムを提供することにある。
【課題を解決するための手段】
【０００６】
本発明は上記目的を達成するために、次の構成をもって課題を解決する手段としている。すなわち、第１の発明は、浴槽に接続される循環路に浴槽水を循環させる機能を備えたポンプが設けられ、該ポンプの吐出側の循環路には水を貯留するタンクを備えた加圧容器の水導入部が接続され、該加圧容器の水導出部側の循環路には切り替え弁を介して水を中水導出口に導く中水通路が接続されており、前記浴槽内の水の水位を検出する浴槽水位検出手段と、前記加圧容器の水導入部から導入される水に溶融させるための空気を導入する空気導入手段とを有して、該空気導入手段により導入された空気が前記ポンプによって前記加圧容器に導入される水に加圧溶融されて空気加圧溶融水として導出される構成を有し、該加圧溶融水が前記切り替え弁を介して前記中水通路に導入されたときに該空気加圧溶融水を減圧して噴出させることにより前記中水通路内の水に微細気泡を噴出させる中水白濁用微細気泡噴出装置が前記中水通路に介設され、前記浴槽への前記循環路の接続部には前記空気加圧溶融水を減圧して噴出させることにより前記浴槽内の水に微細気泡を噴出させる浴槽白濁用微細気泡噴出装置が設けられており、中水利用指令が加えられたとき又は前記中水導出口の開動作が行われたときに前記浴槽水位検出手段により検出される検出水位が予め定められる中水利用設定水位以上あったときには前記ポンプの駆動により前記加圧容器から導出される空気加圧溶融水を前記切り替え弁を介して前記中水通路に導入し、前記中水白濁用微細気泡噴出装置から微細気泡を噴出させて該微細気泡の含有水を前記中水導出口から導出し、中水利用停止指令が加えられたとき又は前記中水導出口の閉動作が行われたときには前記微細気泡の含有水の前記中水導出口からの導出を停止する微細気泡含有中水導出制御手段が設けられている構成をもって課題を解決する手段としている。
【０００７】
また、第２の発明は、前記第１の発明の構成に加え、前記加圧容器内の圧力を検出する圧力検出手段を有し、微細気泡含有中水導出制御手段は、前記圧力検出手段により検出される加圧容器内の圧力が予め定めたポンプオン設定圧力以下になったときにポンプの駆動を開始し、中水利用停止指令が加えられたときと中水導出口の閉動作が行われたときと前記加圧容器内の圧力が前記ポンプオン設定圧力よりも高い予め定めたポンプオフ設定圧力以上になったときのいずれかの予め定められた設定タイミングにポンプの駆動を停止することを特徴とする。
【０００８】
さらに、第３の発明は、前記第１の発明の構成に加え、前記中水通路には中水を貯留する水貯留タンクが介設されており、微細気泡含有中水導出制御手段は前記水貯留タンク内の圧力が予め定めたポンプオン設定圧力以下になったときにポンプの駆動を開始し、前記水貯留タンク内の圧力が前記ポンプオン設定圧力よりも高い予め定めたポンプオフ設定圧力以上になったときにポンプの駆動を停止することを特徴とする。
【０００９】
さらに、第４の発明は、前記第１の発明の構成に加え、前記中水通路には中水を貯留する水貯留タンクが介設されており、前記水貯留タンクには該水貯留タンク内が予め定めたオン駆動圧以下になるとオンして該オン駆動圧よりも高い予め定めたオフ駆動圧以上になるとオフする圧力スイッチが設けられており、微細気泡含有中水導出制御手段は前記圧力スイッチのオン信号が加えられたときにポンプの駆動を開始し、前記圧力スイッチのオフ信号が加えられたときにポンプの駆動を停止することを特徴とする。
【００１０】
さらに、第５の発明は、前記第３または第４の発明の構成に加え、前記ポンプの駆動開始から予め定められた弁開設定待機時間が経過するまでは空気導入手段を閉状態とし、前記弁開設定待機設定時間が経過した以降に前記空気導入手段を開状態として空気を浴槽水に溶融させる空気導入弁開閉制御手段が設けられていることを特徴とする。
【００１１】
さらに、第６の発明は、前記第４の発明の構成に加え、前記水貯留タンクの圧力スイッチが予め定められた設定判断時間以内に予め定めた設定回数以上のオンオフ動作を繰り返し行ったときには、その直後に空気導入手段を開いて空気を浴槽水に溶融させることを特徴とする。
【００１２】
さらに、第７の発明は、前記第１乃至第６のいずれか一つの発明の構成に加え、浴槽水の温度を検出する風呂温度検出手段を有し、該風呂温度検出手段の検出温度が予め定めた設定温度以上の時には、ポンプの駆動直後に空気導入手段を開いて空気を浴槽水に溶融させることを特徴とする。
【００１３】
さらに、第８の発明は、前記第１乃至第７のいずれか一つの発明の構成に加え、循環路には循環水を加熱する熱交換器が介設され、前記循環路がポンプの駆動により該循環路を循環する浴槽水を加熱して循環する追い焚き循環路を成していることを特徴とする。
【００１４】
さらに、第９の発明は、前記第１乃至第８のいずれか一つの発明の構成に加え、オゾンを収容するオゾン収容部が空気導入手段に接続されて、該空気導入手段からオゾンを導入するオゾン導入手段が形成されていることを特徴とする特徴とする。
【発明の効果】
【００１５】
本発明によれば、浴槽に接続された循環路に浴槽水を循環させる機能を備えたポンプを設け、該ポンプの吐出側の循環路には水を貯留するタンクを備えた加圧容器の水導入部を接続し、該加圧容器の水導出部側の循環路には切り替え弁を介して水を中水導出口に導く中水通路を接続しており、中水利用指令が加えられたとき又は前記中水導出口の開動作が行われたときに浴槽の検出水位が予め定められる中水利用設定水位以上あったときには、加圧容器から導出される空気加圧溶融水を前記中水通路に適宜導入することができる。なお、中水導出口の開動作とは、中水導出口の栓を開く動作やレバー開動作等、中水導出口から中水を導出するための動作である。
【００１６】
そして、中水通路に導入された空気加圧溶融水を中水白濁用微細気泡噴出装置によって減圧して噴出させて中水通路内の水に微細気泡を噴出させ、その微細気泡の含有水を前記中水導出口から適宜導出することができる。微細気泡を含有する水は、汚れを落とす効果が高いために、中水導出口から導出して再利用する中水（浴槽水）に前記のように微細気泡を含有させて導出することにより、例えば靴洗浄やトイレ洗浄等において汚れを落としやすくすることができる。また、中水利用停止指令が加えられたときや、前記中水導出口の閉動作が行われたときには、前記微細気泡の含有水の前記中水導出口からの導出を停止することにより、水の無駄などを省くことができる。なお、中水導出口の閉動作とは、中水導出口の栓を閉じる動作やレバー閉動作等、中水導出口からの中水導出を停止するための動作であり、中水導出口の開動作後に自動的に中水導出口側に設けられている弁が閉じられる場合の弁閉動作も含む。
【００１７】
また、浴槽への循環路の接続部にも浴槽白濁用微細気泡噴出装置を設けて、前記空気加圧溶融水を減圧して噴出させ、浴槽内の水に微細気泡を噴出させることによって、浴槽内にも適宜、微細気泡を発生させることができ、利用者に、快適な入浴タイムを促すことができる。
【００１８】
さらに、加圧容器内の圧力を検出する圧力検出手段を設け、微細気泡含有中水導出制御手段は、前記圧力検出手段により検出される加圧容器内の圧力が予め定めたポンプオン設定圧力以下になったときにポンプの駆動を開始することにより、中水導出口側から水の導出が行われて加圧容器内の圧力がポンプオン設定圧力以下に下がったときに、迅速に、微細気泡含有水の中水を中水導出口から導出することができる。つまり、前記特許文献１においては、浴槽の残り湯の使用開始後に、信号を送り、その信号を受けてポンプを駆動するようにしているので、ポンプ駆動がワンテンポ遅れるのに対し、加圧容器内の圧力に応じてポンプ駆動開始することにより、迅速にポンプの駆動を開始できる。
【００１９】
また、中水利用停止指令が加えられたときにポンプの駆動を停止したり、加圧容器内の圧力が前記ポンプオン設定圧力よりも高い予め定めたポンプオフ設定圧力以上になったときにポンプの駆動を停止したりすることにより、適切なタイミングでポンプを停止することができる。また、加圧容器内の圧力がポンプオフ設定圧力以上になったときにポンプの駆動を停止することにより、加圧容器内の圧力を適宜の高い圧力にすることができる。
【００２０】
さらに、中水通路に水貯留タンクを介設して該水貯留タンクに中水（つまり、浴槽から中水通路に導入される水）を貯留しておき、微細気泡含有中水導出制御手段は、中水利用指令が加えられてから前記水貯留タンク内の圧力が予め定めたポンプオン設定圧力以下になったときにポンプの駆動を開始することにより、前記と同様に、ポンプ駆動開始がワンテンポ遅れることがなく、中水導出口側から水の導出が行われて中水通路および水貯留タンク内の圧力が設定圧力以下に下がったときに迅速に、微細気泡含有水の中水を中水導出口から導出することができる。また、水貯留タンク内の圧力が前記ポンプオン設定圧力よりも高い予め定めたポンプオフ設定圧力以上になったときにポンプの駆動を停止することにより、適切なタイミングでポンプを停止することができるし、水貯留タンク内の圧力を適宜の高い圧力にすることができる。
【００２１】
さらに、中水通路に水貯留タンクを介設して該水貯留タンクに中水（つまり、浴槽から中水通路に導入される水）を貯留しておき、該水貯留タンクに、該水貯留タンク内が予め定めたオン駆動圧以下になるとオンして該オン駆動圧よりも高い予め定めたオフ駆動圧以上になるとオフする圧力スイッチを設け、微細気泡含有中水導出制御手段は、前記圧力スイッチのオン信号が加えられたときにポンプの駆動を開始することにより、前記と同様に、ポンプ駆動開始がワンテンポ遅れることがなく、中水導出口側が開かれて中水通路および水貯留タンク内の圧力が下がって圧力スイッチがオンしたときに迅速に、微細気泡含有水の中水を中水導出口から導出することができる。また、水貯留タンク内の圧力スイッチのオフ信号が加えられたときにポンプの駆動を停止することにより、適切なタイミングでポンプを停止することができるし、水貯留タンク内の圧力を適宜の高い圧力にすることができる。
【００２２】
さらに、中水通路に水貯留タンクを設けて該水貯留タンクに圧力センサを設ける構成や圧力スイッチを設ける構成において、ポンプの駆動開始から予め定められた弁開設定待機時間が経過するまでは空気導入手段を閉状態とし、前記設定時間が経過した以降に前記空気導入手段を開状態として空気を浴槽水に溶融させるようにすることで、以下の効果を奏することができる。
【００２３】
つまり、中水通路に設けた水貯留タンクのタンク内の圧力は、中水導出口が閉じている状態のときには、例えば１００ＫＰａ（約１ｋｇ／ｃｍ２）の圧力に保たれており、中水導出口が開くと、水貯留タンク内の空気に押されて水が中水導出口から導出されて、一時的に（中水導出口が開かれてから、前記ポンプが駆動開始するまでの間に）、水貯留タンク内の圧力は１００ＫＰａより下がる。そして、水貯留タンク内の圧力がポンプオンに適した圧力以下になったとき（つまり、圧力センサにより検出される検出圧力がポンプオン設定圧力以下になったときや、圧力が圧力スイッチのオン駆動圧以下になったとき）にポンプが駆動開始されて、中水が水貯留タンクに導入されると共に、中水は中水通路および水貯留タンクを通して中水導出口から導出される。
【００２４】
一方、微細気泡含有水を形成する加圧タンク内の圧力は、例えば約３ｋｇ／ｃｍ２で空気を水に溶解させており、切り替え弁の介設部分の抵抗などにより約１ｋｇ／ｃｍ２に下がって水貯留タンクに貯留されるが、切り替え弁の介設部分の抵抗等で空気の一部が気泡（白濁）として出てきてから中水通路に設けた前記水貯留タンク内に入り、この結果、水貯留タンク内の空気量は次第に増えていく。そこで、水貯留タンクの圧力が前記のポンプに適した圧力以下になってから予め定められた弁開設定待機時間が経過するまでは空気導入手段を閉状態とし、前記設定時間が経過した以降に前記空気導入手段を開状態として空気を浴槽水に溶融させるようにすることで、水貯留タンク内の空気量が大きくなりすぎて水位が下がりすぎるということがないようにできる。
【００２５】
なお、中水導出口が閉じてからも前記ポンプはオンし続けることにより、水貯留タンク内の圧力が上昇していき、前記ポンプオン設定圧力よりも高いポンプオフに適した圧力（例えば１００ＫＰａ）以上になると（つまり、圧力センサにより検出される検出圧力がポンプオン設定圧力より高いポンプオフ設定圧力以上になったときや、圧力が圧力スイッチのオフ駆動圧以上になったときに）、ポンプをオフすることにより、水貯留タンク内の圧力はポンプオフ設定圧力またはその近傍の圧力に保たれる。
【００２６】
さらに、中水通路に水貯留タンクを設けて該水貯留タンクに圧力スイッチを設ける構成において、水貯留タンクの圧力スイッチが予め定められた設定判断時間以内に予め定めた設定回数以上のオンオフ動作が繰り返し行われたときには、水貯留タンク内の空気量が少なくなっていることにより、水貯留タンク内の圧力が安定せずに圧力スイッチのオンオフ動作が頻繁に行われていると考えられる。したがって、このようなときには、圧力スイッチの設定回数以上のオンオフ動作の直後に、加圧溶融手段が空気導入手段を開状態として空気を浴槽水に溶融させることにより、水貯留タンク内の空気量を増やして空気量を安定させ（水貯留タンク内に空気の層を必ず一定量設け）、水貯留タンク内の圧力を安定化させて圧力スイッチのオンオフ動作の繰り返しが長く続くことを避けることができる。
【００２７】
さらに、浴槽水の温度が高いと、その浴槽水への空気の溶解度が低く、その状態で水が、浴槽水より温度が低いタンク（加圧容器のタンクや水貯留タンク）に貯留されると、水がタンク内で冷えて空気の溶解度が高くなるときに、タンク内にあった空気が水に溶けてタンク内の空気量が少なくなる。そのため、浴槽水の温度を検出する風呂温度検出手段の検出温度が予め定めた設定温度以上の時には、ポンプの駆動直後に空気導入手段を開状態として空気を浴槽水に溶融させることにより、タンク内の空気量を増やして空気量を安定させ、加圧容器内の圧力や水貯留タンク内の圧力を安定させることができる。
【００２８】
さらに、循環路に循環水を加熱する熱交換器を介設し、浴槽水を加熱して循環する追い焚き循環路を形成することにより、浴槽水の加熱追い焚きも可能な風呂システムを、簡単な構成で構築することができる。
【００２９】
さらに、オゾン含有水は空気含有水よりもさらに汚れ落とし効果が高いため、オゾンを収容するオゾン収容部を空気導入手段に接続して空気導入手段からオゾンを導入してオゾン含有水を作成し、中水として例えば靴洗浄等に再利用すれば、前記各効果に加え、さらにより一層汚れを落とす効果を高めることができる。
【図面の簡単な説明】
【００３０】
【図１】本発明に係る風呂システムの第１実施例のシステム構成とその動作を説明するための模式的な説明図である。
【図２】第１実施例の風呂システムに設けられている制御構成を示すブロック図である。
【図３】第１実施例の動作例を説明するためのフローチャートである。
【図４】本発明に係る風呂システムの第２実施例のシステム構成とその動作を説明するための模式的な説明図である。
【図５】第２実施例における水貯留タンク内の圧力保持動作を説明するための模式的な説明図である。
【図６】第２実施例の風呂システムに設けられている制御構成を示すブロック図である。
【図７】第２実施例の動作例を説明するためのフローチャートである。
【図８】本発明に係る風呂システムの第３実施例のシステム構成とその動作を説明するための模式的な説明図である。
【図９】第３実施例における水貯留タンク内の圧力保持動作を説明するための模式的な説明図である。
【図１０】第３実施例の風呂システムに設けられている制御構成を示すブロック図である。
【図１１】第３実施例の動作例を説明するためのフローチャートである。
【図１２】その他の実施例の風呂装置に設けられているシステム構成の一部を示す模式図である。
【図１３】その他の実施例のシステム構成の一部を示す模式図である。
【発明を実施するための形態】
【００３１】
以下、本発明の実施の形態を図面に基づき説明する。
【実施例１】
【００３２】
図１には、本発明に係る風呂システムの第１実施例のシステム構成が示されている。同図に示すように、この風呂システムにおいて、浴槽１には、管路２ａ〜２ｄを備えた循環路２が接続されており、この循環路２には、浴槽水（浴槽湯水）の水位を検出する浴槽水位検出手段（水位センサ）３と、浴槽水の温度を検出する風呂温度検出手段としての風呂温度センサ２７と、浴槽水を循環させる機能を備えたポンプ４とが設けられている。ポンプ４の吐出側の循環路２（管路２ｂ）には、水を貯留するタンク５ｃを備えた加圧容器５の水導入部５ａが接続されており、加圧容器５の水導出部５ｂ側の循環路２（管路２ｃ）には電磁弁（開閉弁）１５が介設されると共に、切り替え弁６を介して水を中水導出口１８（１８ａ，１８ｂ）に導く中水通路１９が接続されている。切り替え弁６には、前記管路２ｄも接続されている。
【００３３】
加圧容器５には、加圧容器５の水導入部５ａから導入される水に溶融させるための空気を導入する空気導入手段（例えば空気導入弁）１６と、タンク５ｃ内の圧力を検出する圧力センサ１７とが設けられている。また、ポンプ４は、浴槽水を加圧しながら循環させる機能を有するカスケードポンプにより形成されており、空気導入手段１６により導入された空気が、ポンプ４により加圧容器５に導入される水に加圧溶融されて空気加圧溶融水として導出される構成を有している。このように、本実施例では、一つのポンプ４によって空気溶融と水循環とを行うことができるため、システム構成や制御構成を簡略化することができ、風呂システムの小型化を図ることができる。
【００３４】
なお、ポンプ４は、カスケードポンプにより形成するとは限らず、渦巻式ポンプ等の適宜のポンプにより形成されるものであるが、ポンプ４をカスケードポンプにより形成すると、空気を含む水をポンプ４に吸い込んで加圧してポンプ４から導出させることができるので、空気導入手段１６を加圧容器５に設ける代わりに、図１（ａ）の破線Ｂに示すような、ポンプ４の吸い込み側の管路２ａに位置に設けることもできる。
【００３５】
前記中水通路１９は２つの分岐通路１９ａ，１９ｂに分岐され、分岐通路１９ａ側には電磁弁により形成された弁２９ａが設けられ、分岐通路１９ｂ側には電磁弁により形成された弁２９ｂが設けられている。分岐通路１９ａの先端側の中水導出口１８ａは、スニーカ等の靴を洗浄することも行う洗面所の蛇口であり、分岐通路１９ｂの先端側の中水導出口１８ｂは、トイレの洗浄用タンク４９への導水口である。中水導出口１８ａには電磁弁３１ａを介して上水通路３０も接続されており、上水通路３０は電磁弁３１ｂを介し、トイレの洗浄用タンク４９に接続されている。
【００３６】
中水導出口１８ａの配設部近傍である洗面所の壁面には、中水利用指令と中水利用停止指令の指令発生を行うための操作手段としてのスイッチ２８が設けられており、このスイッチ２８は、図２に示されるように、リモコン装置４８に設けられている。また、中水導出口１８ｂの配設部近傍であるトイレの壁面には、中水利用指令の指令発生を行うための操作手段としてのスイッチ２６が設けられており、このスイッチ２６は、図２に示されるように、リモコン装置４６に設けられている。
【００３７】
また、図１に示すように、中水通路１９には中水白濁用微細気泡噴出装置５０が介設されており、中水白濁用微細気泡噴出装置５０は、加圧容器５から導出された加圧溶融水が切り替え弁６を介して中水通路１９に導入されたときに、空気加圧溶融水を減圧して噴出させることにより中水通路１９内の水に微細気泡を噴出させる機能を有している。この中水白濁用微細気泡噴出装置５０と、切り替え弁６、電磁弁１５、加圧容器５、風呂温度センサ２７、浴槽水位検出手段３、ポンプ４を有して、微細気泡発生機能等を有する多機能ユニット３３が形成されており、多機能ユニット３３は、屋外、室内、浴槽脇などの適宜の場所に設置される。この多機能ユニット３３内には、図２に示されるような制御装置３７が設けられている。
【００３８】
また、図１に示すように、前記浴槽１への循環路２の接続部には浴槽白濁用微細気泡噴出装置５１が設けられており、浴槽白濁用微細気泡噴出装置５１は、加圧容器５から導出された空気加圧溶融水を減圧して噴出させることにより浴槽１内の水に微細気泡を噴出させる機能を有している。
【００３９】
図２には、本実施例の風呂システムの制御構成がブロック図により示されている。同図に示すように、本実施例では、多機能ユニット３３の制御装置３７内に、微細気泡含有中水導出制御手段２１と、空気導入弁開閉制御手段２０と、浴槽湯水美白運転制御手段２２とが設けられており、制御装置３７には、トイレ内配置のリモコン装置４６と洗面所内配置のリモコン装置４８とが、無線あるいは有線により接続されている。
【００４０】
微細気泡含有中水導出制御手段２１は、トイレ内の中水利用のスイッチ２６がオンされたり、洗面所内の中水利用のスイッチ２８がオンされたりして、中水利用指令が加えられたときに、浴槽水位検出手段３により検出される検出水位を取り込み、この検出水位が予め定められる中水利用設定水位以上あったときには、図１（ａ）の太線矢印に示すような経路を通しての、中水導出口１８への中水導出を行う。
【００４１】
具体的には、微細気泡含有中水導出制御手段２１は、中水導出動作の開始時（スイッチ２６，２８からの中水利用指令の受信時）に、浴槽水位検出手段３の検出水位を確認し、この検出水位が中水利用設定水位以上のときには、電磁弁１５の開動作と切り替え弁６の中水通路１９側への切り替え動作と、スイッチ２８のオン動作に対応させた弁２９ａの開動作やスイッチ２６のオン動作に対応させた弁２９ｂの開動作を行う。
【００４２】
その後、圧力センサ１７の検出圧力を取り込み、その値が予め定められたポンプオン設定圧力以下に下がったときにポンプ４の駆動を開始して浴槽１の水を加圧容器５に導入する。また、空気導入弁開閉制御手段２０に指令を加えて空気導入弁開閉制御手段２０により空気導入手段（空気導入弁）１６を開状態とし、加圧容器５に導入される空気を水に加圧溶融して空気加圧溶融水を形成し、加圧容器５から導出される空気加圧溶融水を中水通路１９に導入する。そして、この空気加圧溶融水を中水白濁用微細気泡噴出装置５０に通すことにより中水通路１９内で減圧して（加圧状態から常圧に戻して）微細気泡を噴出させ、該微細気泡の含有水を中水導出口１８から導出する。
【００４３】
また、微細気泡含有中水導出制御手段２１は、スイッチ２６やスイッチ２８がオフされて、中水利用停止指令が加えられたときには、弁２９ａや弁２９ｂを閉じ、ポンプ４を停止させて前記微細気泡の含有水の中水導出口１８からの導出を停止し、電磁弁１５を閉じる。なお、トイレに設けられているリモコン装置４６においては、スイッチ２６のオン操作時から予め定められている中水導出設定時間（トイレの洗浄タンク内の貯留水位が適正水位になるまでの時間）が経過してその分の水がトイレの洗浄タンク内に導入されたときに自動的にオフし、このオフ時に中水利用停止指令の指令発生が行われるようになっているが、スイッチ２８も、オン操作後に予め定められている中水導出設定時間経過したときに自動的にオフされるように形成し、このオフ時に中水利用停止指令の指令発生が行われるようにしてもよい。また、微細気泡含有中水導出制御手段２１は、中水導出口１８からの中水導出停止時（電磁弁１５の閉時）に、切り替え弁６の循環路２ｄ側への切り替え動作を行うようにしてもよい。
【００４４】
浴槽湯水美白運転制御手段２２は、制御装置３７に信号接続されている浴室配置の風呂リモコン装置４６の美白スイッチ（微細気泡発生スイッチ）４２がオン操作されたときに、電磁弁１５の開動作と切り替え弁６の管路２ｄ側への切り替え動作を行い、かつ、ポンプ４の駆動を行い、さらに、空気導入弁開閉制御手段２０に指令を加えて空気導入手段１６を適宜開閉し、前記と同様に空気加圧溶融水を形成する。そして、その空気加圧溶融水を、図１（ｂ）の太線矢印に示すように、管路２ｄに導入し、空気加圧溶融水を浴槽白濁用微細気泡噴出装置５１に通すことにより浴槽１内で減圧して（加圧状態から常圧に戻して）微細気泡を噴出する。また、これらの動作を行いながら、浴槽１の水を循環路２の管路２ａ、２ｂ、２ｃ、２ｄに通して循環させる。
【００４５】
なお、美白スイッチ４２の操作は、通常、利用者が入浴中に行われるので、浴槽水の水位は入浴に適した水位となっているはずであるが、浴槽水の水が管路２ａの接続部よりも下の水位しかないときには、浴槽水の循環路２を通しての循環は行われない。また、浴槽湯水美白運転制御手段２２は、美白スイッチ４２がオフ操作されたときには、ポンプ４を停止させて微細気泡の浴槽１内への噴出を停止する。
【００４６】
また、前記のような微細気泡含有水の形成動作は、例えば、空気導入手段１６を適宜のタイミングで開き、ポンプ４を適宜のタイミングで駆動させることにより行われるものであるが、加圧容器５による浴槽水の形成方法は様々であり、特に限定されるものでなく、適宜設定されるものである。ここでは、その詳細説明は省略する。
【００４７】
本実施例は以上のように構成されており、本実施例における中水利用動作例について、図３のフローチャートおよび図１、図２に基づいて説明する。まず、図３のステップＳ１で、例えばトイレの中水利用のスイッチ２６がオンされると、このスイッチオン信号が中水利用指令として空気溶融中水導出制御手段２１に加えられ、空気溶融中水導出制御手段２１は、ステップＳ２で、浴槽水位検出手段３の検出信号を取り込み、浴槽水位が中水利用設定水位以上あるかどうかを確認する。そして、浴槽水位が中水利用設定水位以上あったときにはステップＳ３に進み、浴槽水位が中水利用設定水位より少なかったときにはステップＳ２ａで浴槽水の中水利用をオフにする。なお、この中水利用がオフのときには、上水側の電磁弁３１ｂを開いて上水の導出を行うようにする。
【００４８】
ステップＳ３では、微細気泡含有中水導出制御手段２１の制御により、弁２９ｂの開動作（上水側の電磁弁３１ｂは閉）と、切り替え弁６の中水通路１９側への切り替えと、電磁弁１５の開動作とが行われて、中水通路１９を通して中水導出口１８ｂから浴槽水（中水）の導出が行われる。つまり、弁２９ｂと電磁弁１５を開いて、切り替え弁６を中水通路１９側に切り替えると、加圧容器５内の空気によって加圧容器５内の浴槽水が押されて、その浴槽水が管路２ｃを通って中水通路１９に導入される。
【００４９】
そうすると、加圧容器５内の圧力が下がる（通常は、直ぐに圧力が下がる）ので、微細気泡含有中水導出制御手段２１によって取り込まれる圧力センサ１７の検出圧力を、ステップＳ４で、予め定められたポンプオン設定圧力と比較すると、圧力センサ１７の検出圧力がポンプオン設定圧力以下となり、ステップＳ５に進んでポンプ４を駆動開始（ＯＮ；オン）する。なお、このとき、微細気泡含有中水導出制御手段２１は、空気導入弁開閉制御手段２０に空気導入手段１６の開閉制御指令を加え、空気導入弁開閉制御手段２０によって空気導入手段１６の開閉動作が適宜のタイミングで行われる。
【００５０】
この空気導入手段１６の開閉動作とポンプ４の駆動とに伴い、加圧容器５によって浴槽水への空気の加圧溶融が行われ、空気加圧溶融水が中水通路１９を通るときに中水白濁用微細気泡噴出装置５０を通ることによって、ステップＳ６で、微細気泡が噴出（発生）する。また、この発生した微細気泡の含有中水によって、ステップＳ７に示すように、中水通路１９の配管が洗浄されながら、微細気泡の含有中水が中水導出口１８ｂから導出（吐出）される。そして、ステップＳ８で、微細気泡含有中水導出制御手段２１は、浴槽水位が無いかどうかの判断を行い、浴槽水位が無いと判断されたときには（浴槽１に湯水が無いときには中水導出ができないので）、ステップＳ８ａでポンプ４をオフにし、中水導出動作を終了する。
【００５１】
また、ステップＳ８で、浴槽水があると判断されたときには、ステップＳ９に進み、ステップＳ９で、微細気泡含有中水の中水導出口１８ｂからの吐出時間が予め定められる吐出設定時間（トイレの洗浄タンク内の貯留水位が適正水位になるまでの時間）になったか否かの判断が行われ、前記吐出時間が吐出設定時間に達するまで、ステップＳ８からステップＳ９までの動作を繰り返し行う。つまり、浴槽１の湯水が無くなっていないかどうかを監視しながら、浴槽１に湯水があるときには前記吐出設定時間が経過するまで微細気泡含有中水の導出を行う。そして、微細気泡含有中水の吐出時間が吐出設定時間になったら、ステップＳ１０に進む。
【００５２】
なお、ステップＳ９で、微細気泡含有中水の中水導出口１８ｂからの吐出時間が予め定められる吐出設定時間になったか否かの判断を行う代わりに、例えば図１の破線Ｄに示すような位置に流量センサを設けて、中水導出口１８ｂから導出される中水の導出流量を検出し、その検出流量が予め定められる設定流量に達するまでは、ステップＳ８からステップＳ９までの動作を繰り返し行って、浴槽１の湯水が無くなっていないかどうかを監視しながら、浴槽１に湯水があるときには流量センサの検出流量が前記設定流量に達するまで微細気泡含有中水の導出を行うようにしてもよい。この場合も、流量センサの検出流量が前記設定流量に達したら、ステップＳ１０に進む。
【００５３】
ステップＳ１０では、スイッチ２６が、ステップＳ９での吐出時間経過後または吐出流量が設定流量に達したときに、オフするので、微細気泡含有中水導出制御手段２１は、ステップＳ１１でポンプ４を停止する（電磁弁１５も閉じる）。
【００５４】
また、リモコン４８のスイッチ２８がオンされたときには、スイッチ２６のオンに伴い弁２９ｂが開かれる代わりに、スイッチ２８のオンに伴って弁２９ａが開かれる以外は、ステップＳ１〜ステップＳ７までの動作が同様に行われ、ステップＳ８で浴槽１の湯水が無くなったかどうかの監視を行いながら中水導出が行われ、ステップＳ１０で、スイッチ２８がオフされたときには、ステップＳ１１でポンプ４が停止され、弁２９ａが閉じられて中水導出口１８ａからの中水導出が停止される。なお、ステップＳ８で浴槽１の湯水が無くなったと判断されたときには、ステップＳ８ａでポンプ４がオフされて中水導出が停止される。また、スイッチ２８を、オン操作後に予め定められている中水導出設定時間経過後に自動的にオフされるように形成する場合は、トイレのスイッチ２６の操作時と同様に、ステップＳ９の動作も行われる。
【実施例２】
【００５５】
図４、図５には、本発明に係る風呂システムの第２実施例のシステム構成が示されており、図６には、その制御構成がブロック図により示されている。なお、これらの図において、前記第１実施例と同一名称部分には同一符号を付し、その重複説明は省略または簡略化する。
【００５６】
第２実施例が前記第１実施例と異なる特徴的なことは、中水導出路１９に、浴槽水の中水を貯留する水貯留タンク４５を介設したことであり、第２実施例では、この水貯留タンク４５の水導出側に中水白濁用微細気泡噴出装置５０を設けている。また、第２実施例では、加圧容器５に圧力センサ１７を設けずに、水貯留タンク４５に圧力センサ１７を設けている。
【００５７】
また、第２実施例では、電磁弁１５を中水通路１９の入口側（水貯留タンク４５の水導入側）に設けており、この電磁弁１５は、弁２９ａ，２９ｂの閉状態のときに、水貯留タンク４５内の圧力を維持する役割を果たしている。さらに、第２実施例では、第１実施例において設けられていたリモコン装置４６，４８やそのスイッチ２６，２８が省略され、弁２９ａ，２９ｂは電磁弁により形成されずに、中水導出口１８ａの蛇口近傍に設けられている手動の栓が開方向に操作されたときに弁２９ａが開き、手動の栓が閉方向に操作されたときに弁２９ａが閉じる弁となっており、また、中水導出口１８ｂ側は、トイレの水洗用操作レバーが操作されると弁２９ｂが開き、トイレ水洗用レバーの操作後に予め定められた設定時間経過後（あるいは、トイレの水洗用タンク内を満たす水量の中水が導出されたとき）に自動的に閉じるように構成されている。
【００５８】
第２実施例においても、その制御構成は、図６に示されるように、第１実施例とほぼ同様であるが、第２実施例においては、トイレ洗浄レバーが操作されて弁２９ｂが開いたときや、中水導出口１８ａ近傍の手動の栓が開かれて、それにより弁２９ａが開いたときに、水貯留タンク４５内の空気によって水貯留タンク４５内の浴槽水が押されて水貯留タンク４５の水導出側に流れ、水貯留タンク４５に設けられている圧力センサ１７の検出圧力が低下するので、微細気泡含有中水導出制御手段２１は、この圧力センサ１７の検出圧力の低下を検知して、それにより弁２９ａや弁２９ｂが開かれたことを検知する。そして、微細気泡含有中水導出制御手段２１は、弁２９ａ，２９ｂの開動作時に、浴槽水位検出手段３の検出水位が中水利用設定水位以上であることを確認し、圧力センサ１７の検出圧力が予め定めたポンプオン設定圧力以下になったらポンプ４の駆動を開始する。
【００５９】
また、微細気泡含有中水導出制御手段２１は、中水導出口１８ａ近傍の手動の栓が閉じられてそれにより弁２９ａが閉じてから、または、トイレ水洗用レバーの操作後に予め定められた設定時間経過後（あるいは、トイレの水洗用タンク内を満たす水量の中水が導出されたとき）に弁２９ｂが自動的に閉じられてから、水貯留タンク４５に設けられている圧力センサ１７の検出圧力が予め定めたポンプオフ設定圧力以上になったときに、ポンプ４の駆動を停止する。
【００６０】
さらに、第２実施例では、空気導入手段１６の開閉制御を行う空気導入弁開閉制御手段２０は、風呂温度検出手段２７の検出温度が予め定めた設定温度以上の時には、ポンプ４の駆動直後に空気導入手段１６を開状態として空気を浴槽水に溶融させるが、風呂温度検出手段２７の検出温度が予め定めた設定温度未満の時には、水貯留タンク４５の圧力センサ１７の検出圧力が設定圧力以下になってポンプ４が駆動開始してから予め定められた弁開設定待機時間が経過するまでは、空気導入手段（空気導入手段）１６を閉状態とし、前記弁開設定待機時間が経過した以降に、空気導入手段１６を開状態として空気を浴槽水に溶融させる。
【００６１】
第２実施例は、以上のように構成されており、第２実施例における中水利用動作例について、図７のフローチャートおよび図４〜図６に基づいて説明する。図７のステップＳ１で、中水導出口１８ａ側の栓が開いたりトイレ洗浄用レバーが操作されたりして弁２９ａ，２９ｂが開くと（この開動作が、圧力センサ１７の検出圧力に基づいて空気溶融中水導出制御手段２１により検知されると）、空気溶融中水導出制御手段２１は、ステップＳ２で、浴槽水位検出手段３の検出信号を取り込み、浴槽水位が中水利用設定水位以上あるかどうかを確認する。そして、浴槽水位が中水利用設定水位以上あったときにはステップＳ３に進み、浴槽水位が中水利用設定水位より少なかったときにはステップＳ２ａで浴槽水の中水利用をオフにする。
【００６２】
ステップＳ３では、水貯留タンク４５内の空気によって水貯留タンク４５内の浴槽水が押されて中水通路１９を通して中水導出口１８ｂから導出されるが、このとき、微細気泡含有中水導出制御手段２１は、切り替え弁６を中水通路１９側に切り替え、ステップＳ４で、水貯留タンク４５内の圧力が（圧力センサ１７による検出圧力）が予め定められたポンプオン設定圧力以下に下がったら、ステップＳ５で、電磁弁１５を開き、ポンプ４を駆動開始（ＯＮ；オン）する。なお、このとき、微細気泡含有中水導出制御手段２１は、空気導入弁開閉制御手段２０に空気導入手段１６の開閉制御指令を加え、空気導入弁開閉制御手段２０によって空気導入手段１６の開閉動作が適宜のタイミングで行われる。
【００６３】
そして、空気導入手段１６の開閉動作とポンプ４の駆動に伴い、加圧容器５によって浴槽水への空気の加圧溶融が行われ、その空気加圧溶融水が水貯留タンク４５内に導入された後に水貯留タンク４５から導出され、水貯留タンク４５の下流側の中水白濁用微細気泡噴出装置５０を通ることによって、ステップＳ６で、微細気泡が噴出（発生）する。また、この発生した微細気泡の含有中水によって、ステップＳ７で、中水通路１９の配管が洗浄されながら、微細気泡の含有中水が中水導出口１８ｂから導出（吐出）される。
【００６４】
その後、ステップＳ８〜ステップＳ１０の各動作が第１実施例と同様に（図３のステップＳ８〜ステップＳ１０と同様に）行われる。
【００６５】
なお、第２実施例でも、ステップＳ９で、微細気泡含有中水の中水導出口１８ｂからの吐出時間が予め定められる吐出設定時間になったか否かの判断を行う代わりに、例えば図４の破線Ｄに示すような位置に流量センサを設けて、中水導出口１８ｂから導出される中水の導出流量を検出し、その検出流量が予め定められる設定流量に達したら、ステップＳ１０に進むようにしてもよい。
【００６６】
また、第２実施例では、図７のステップＳ１０の動作後、ステップＳ１１で、圧力センサ１７の圧力が予め定められた設定圧力以上になるまで電磁弁１５を開いておき、ポンプ４の駆動を継続して行うことにより、水貯留タンク４５内の圧力を高め、かつ、図５の太線に示す管路（中水通路１９の電磁弁１５よりも下流側、分岐通路１９ａ，１９ｂの弁２９ａ，２９ｂの上流側）内の圧力を高める。そして、ステップＳ１１で、圧力センサ１７の圧力がポンプオフ設定圧力以上になってから、ステップＳ１２で電磁弁１５を閉じ、ポンプ４の駆動を停止する。
【００６７】
なお、電磁弁１５を閉じても、中水導出口１８等から少しずつ自然に空気が抜けていき、水貯留タンク４５内の圧力は自然に圧力が下がるので、例えば微細気泡含有中水導出制御手段２１が、例えば設定期間毎に、圧力センサ１７の検出圧力を取り込む等して、ステップＳ１２の後にステップＳ１１に戻り、ステップＳ１１、ステップＳ１１ａの動作を繰り返し、水貯留タンク４５の圧力がポンプオフ設定圧力以上になるようにして、図５の太線に示した前記管路内の圧力を高め、待機しておく。
【００６８】
また、第２実施例においては、ステップＳ１で、洗面所の中水導出口１８ａの栓が手動で開かれると、弁２９ａが開かれて、図７のステップＳ２〜ステップＳ８またはステップＳ８ａまでの動作が同様に行われ、浴槽１内の湯水の有無が監視されながら、中水導出口１８ａから水が導出される。また、その後、洗面所の中水導出口１８ａの栓が手動で閉じられると、弁２９ｂが閉じられ、ステップＳ１１、ステップＳ１２、ステップＳ１１ａの各動作が前記と同様に行われる。
【実施例３】
【００６９】
図８、図９には、本発明に係る風呂システムの第３実施例のシステム構成が示されており、図１０には、その制御構成がブロック図により示されている。なお、これらの図において、前記第１、第２実施例と同一名称部分には同一符号を付し、その重複説明は省略または簡略化する。
【００７０】
第３実施例が前記第１実施例と異なる特徴的なことは、第１実施例に設けた水電磁弁１５を省略し、管路２ｂに逆止弁１１を設けたことである。
【００７１】
つまり、第３実施例では、第１実施例において中水導出時に行われる電磁弁１５の開動作や中水導出停止時に行われる電磁弁１５の閉動作を行うことなく、第１実施例とほぼ同様の動作を行うものであり、微細気泡含有中水導出制御手段２１は、加圧容器５に設けられている圧力センサ１７の検出圧力が予め定められたポンプオン設定圧力以下に下がったときにポンプ４の駆動を行って浴槽１の水を加圧容器５に導入する。そして、空気導入手段１６を開状態として加圧容器５に導入される空気を水に加圧溶融して空気加圧溶融水を形成し、加圧容器５から導出される空気加圧溶融水を中水通路１９に導入し、第１実施例と同様に、水通路１９内で減圧して（加圧状態から常圧に戻して）微細気泡を噴出させ、該微細気泡の含有水を中水導出口１８から導出する。
【００７２】
また、微細気泡含有中水導出制御手段２１は、スイッチ２６やスイッチ２８がオフされて、中水利用停止指令が加えられたときには、弁２９ａ，２９ｂを閉じ、その後、加圧容器５に設けられている圧力センサ１７の検出圧力が予め定めたポンプオフ設定圧力以上になったときに、ポンプ４の駆動を停止する。なお、第３実施例でも、第１実施例と同様に、トイレに設けられているリモコン装置４６においては、スイッチ２６が自動的にオフする機能が設けられ、このオフ時に中水利用停止指令の指令発生が行われるようになっているが、スイッチ２８も、オン操作後に予め定められている中水導出設定時間経過したときに自動的にオフされるように形成し、このオフ時に中水利用停止指令の指令発生が行われるようにしてもよい。また、微細気泡含有中水導出制御手段２１は、中水導出口１８からの中水導出停止時（電磁弁１５の閉時）に、切り替え弁６の循環路２ｄ側への切り替え動作を行うようにしてもよい。
【００７３】
第３実施例は、以上のように構成されており、図１１に第３実施例の動作例がフローチャートにより示されている。第３実施例では、図１１のステップＳ１〜ステップＳ１０までの動作が、ステップＳ３での中水導出時に電磁弁１５の開動作を行わずに中水を導出できることを除き、第１実施例とほぼ同様に行われる。そして、第３実施例では、図１１のステップＳ１０でスイッチ２６やスイッチ２８がオフされてから、図１１のステップＳ１１で、加圧容器５の圧力センサ１７の検出圧力がポンプオフ設定圧力以上かどうかが判断され、圧力センサ１７の検出圧力がポンプオフ設定圧力以上のときには、ステップＳ１２に進み、ポンプ４の停止が行われる。また、圧力センサ１７の検出圧力がポンプオン設定圧力以下になったときには、ポンプ４の再駆動を行い、加圧容器５および図９の太線に示す管路（管路２ｂの逆止弁１１の配設位置から加圧容器５までの間と、管路２ｃ、中水通路１９、分岐通路１９ａ，１９ｂの弁２９ａ，２９ｂの上流側）内の圧力を高める動作が行われる。
【００７４】
第３実施例では、第１実施例で設けた電磁弁１５を省略しているので、その分だけ部品点数を少なくできるし、電磁弁１５の制御構成も不要となり、より簡単な構成で低コスト化を図ることができる。また、逆止弁１１を設けて加圧容器５内の圧力を予め定めたポンプオン設定圧力程度の高い状態に常に保つことができる。
【００７５】
なお、本発明は前記実施例に限定されるものでなく、適宜設定されるものである。例えば、風呂システムにおいて、図１２（ａ）に示すように、浴槽１にジェット噴流を噴出させるジェットバスの噴出装置５２を設けてもよい。また、図１２（ｂ）に示すように、加圧容器５のタンク５ｃに圧力センサ１７を設ける代わりに水位検出電極５４を設けてタンク５ｃ内の水位を検出し、この水位検出電極５４の検出水位に基づいてポンプ４の駆動開始や停止を行うようにしてもよい。つまり、例えば、水位検出電極５４の検出水位が予め定められているポンプオン設定水位以下になったときにポンプ４を駆動開始し、水位検出電極５４の検出水位が予め定められているポンプオフ設定水位を超えたときにポンプ４を駆動停止するようにしてもよい。
【００７６】
さらに、風呂システムには、熱源機を接続したり、その熱源機を介して暖房システムや太陽熱利用の集熱器を接続したりしてもよい。なお、熱源機は、ガスの燃焼により水を加熱して湯とする装置としてもよいし、ガス以外の燃料を燃焼させて水を加熱して湯とする装置としてもよいし、電気によって水を加熱して湯とする装置としてもよく、その詳細は適宜設定されるものである。
【００７７】
さらに、図１３に示すように、熱源機に多機能ユニット３３を組み込んだ風呂システムを形成することもできる。つまり、循環路２に、浴槽１の水を追い焚きする追い焚き交換器６８を設けて追い焚き循環路を形成し（循環路２を追い焚き循環路とし）、この追い焚き循環路に多機能ユニット３３を介設した構成としてもよい。なお、この例では、空気導入手段１６が空気導入弁により形成されて循環路２の管路２ａに設けられており、空気導入手段１６には注湯通路７４が接続されている。また、風呂温度センサ２７は流水スイッチ５３内に設けられているが、図の破線に示すように、追い焚き熱交換器６８の出側に設けられていてもよい。
【００７８】
同図に示すシステム構成を簡単に説明すると、器具ケース６１内に、３つの燃焼面を持つ給湯バーナ６２と、追い焚きバーナ６３と、給湯熱交換器６７、追い焚き熱交換器６８、燃焼ファン６４を設けており、バーナ６２，６３への燃料供給用のガス管６９にガス電磁弁７０、ガス比例弁７８が介設されている。給湯熱交換器６７の入側には給水通路６５が設けられ、給湯熱交換器６７の出側には給湯通路６６が接続されている。また、符号７１，７２はサーミスタ、符号７３は流量検出手段、符号７５は注湯電磁弁、符号７６はドレン管、符号７７はドレンの中和器を、それぞれ示している。なお、このような風呂システムにおいて、多機能ユニット３３は器具ケース６１内に設けてもよい。
【００７９】
また、図１３に示したように、浴槽１と循環路２との接続部を１カ所として、接続具を介して循環路２の管路２ａと管路２ｄを近接させて接続してもよく、この構成は、前記第１〜第３実施例のシステム構成に適用することもできる。
【００８０】
さらに、第２実施例のように、中水通路１９に水貯留タンク４５を介設する構成において、水貯留タンク４５に、水貯留タンク４５内が予め定めたオン駆動圧以下になるとオンして該オフ駆動圧よりも高い予め定めたオフ駆動圧以上になるとオフする圧力スイッチ４３を設けて構成してもよい（図５の破線、参照）。この場合、微細気泡含有中水導出制御手段は圧力スイッチ４３のオン信号が加えられたときに、ポンプ４の駆動を開始し、圧力スイッチ４３のオフ信号が加えられたときに、ポンプ４の駆動を停止するようにし、その他の動作は、前記第２実施例とほぼ同様に行うようにする。
【００８１】
なお、この構成においても、空気導入弁開閉制御手段２０は、風呂温度検出手段２７の検出温度が予め定めた設定温度以上の時には、ポンプ４の駆動直後に空気導入手段１６を開状態として空気を浴槽水に溶融させるが、風呂温度検出手段２７の検出温度が予め定めた設定温度未満の時には、空気導入弁開閉制御手段２０は、ポンプの駆動開始から弁開設定待機時間が経過するまでは空気導入手段を閉状態とし、前記弁開設定待機時間が経過した以降に、空気導入手段１６を開状態として空気を浴槽水に溶融させることが好ましい。また、水貯留タンク４５の圧力スイッチ４３が予め定められた設定判断時間以内に予め定めた設定回数以上のオンオフ動作を繰り返し行ったときには、その直後に空気導入手段１６を開状態として空気を浴槽水に溶融させるとよい。
【００８２】
さらに、例えば図８（ａ）の破線に示すように、オゾンを収容するオゾン収容部５５を空気導入手段１６に接続し、空気導入手段１６からオゾンを導入するオゾン導入手段を形成して、空気の代わりにオゾンを導入するようにしてもよい。
【００８３】
さらに、中水導出口１８の構成や個数、配設場所等、スイッチ２６，２８の構成や個数、配設場所等は、特に限定されるものでなく、適宜設定されるものであり、様々な風呂システムに本発明を適用できる。
【産業上の利用可能性】
【００８４】
本発明は、浴槽の残り湯を、システムに設けた微細気泡発生機能による洗浄効果を活かして有効に再利用できるので、家庭用や宿泊施設等に設けられる風呂システムとして利用できる。
【符号の説明】
【００８５】
１          浴槽
２          循環路
３          浴槽水位検出手段
４          ポンプ
５          加圧容器
６          切り替え弁
１５        電磁弁
１６        空気導入手段
１７        圧力センサ
１８，１８ａ，１８ｂ      中水導出口
１９        中水通路
２０        空気導入弁開閉制御手段
２１        微細気泡含有中水導出制御手段
２２        浴槽湯水美白運転制御手段
２６，２８  スイッチ
２７        風呂温度センサ
２８        圧力スイッチ
２９ａ，２９ｂ  弁
３３        多機能ユニット
３７        制御装置
５０        中水白濁用微細気泡噴出装置
５１        浴槽白濁用微細気泡噴出装置
５５        オゾン収容部
６８        追い焚き交換器
【図１】
2013121392.tif 000003
【図２】
2013121392.tif 000004
【図３】
2013121392.tif 000005
【図４】
2013121392.tif 000006
【図５】
2013121392.tif 000007
【図６】
2013121392.tif 000008
【図７】
2013121392.tif 000009
【図８】
2013121392.tif 000010
【図９】
2013121392.tif 000011
【図１０】
2013121392.tif 000012
【図１１】
2013121392.tif 000013
【図１２】
2013121392.tif 000014
【図１３】
2013121392.tif 000015